(57)【要約】【課題】表示パネルによってその背面に設けられる被支持固定部の位置が異なっても、表示パネル毎に支持固定部が被支持固定部に対応する位置に設けられたパネル固定部を用意する必要のない表示パネル支持装置を提供する。【解決手段】背面側が壁面Ｗ又は壁面Ｗに連結されると共に、前面側に表示パネルＰが固定されるパネル固定部２で主体が構成され、パネル固定部２の前面に支持固定部が設けられ、表示パネルの背面の少なくとも左右方向の２箇所に被支持固定部が設けられる表示パネル支持装置である。パネル固定部２の左右方向の任意の位置に固定可能な支持部材が、パネル固定部２に固定される表示パネルＰの被支持固定部の位置に対応する位置に固定される。【選択図】        図１
2010166181.tif 000002
【特許請求の範囲】
【請求項１】
背面側が壁面又は壁面に固定される部材に連結されると共に、前面側に表示パネルが固定されるパネル固定部で主体が構成され、パネル固定部の前面に支持固定部が設けられ、表示パネルの背面の少なくとも左右方向の２箇所に設けられる被支持固定部に支持固定部が係合する表示パネル支持装置であって、パネル固定部の左右方向の任意の位置に支持固定部が移動可能に取り付けられることを特徴とする表示パネル支持装置。
【請求項２】
支持部材に対して、被支持固定部を有する上下動部材が任意の高さに固定可能であることを特徴とする請求項１記載の表示パネル支持装置。
【発明の詳細な説明】
【技術分野】
【０００１】
本発明は、液晶テレビやプラズマテレビ等の平面状の表示パネルを支持する装置に関するものである。
【背景技術】
【０００２】
近年、液晶テレビやプラズマテレビ等の平面状の表示パネルが普及してきている。このような表示パネルは、専用の支柱や支持脚を付設し、床上に直接又はテレビ台等のラック上に載せて設置したり、壁に金具で掛け止めしたりして、壁面に沿わせて設置するなどして使用されている。壁面に沿わせての設置形態として、利用者が使う時等に、壁面から前方へ突出させて使用するといった使用形態が提案されている（例えば特許文献１参照）。
【０００３】
特許文献１には、壁面に固定される壁固定部材（特許文献１中のベース部４）と、表示パネル（テレビ本体１）が固定されるパネル固定部（ブラケット２）と、壁固定部材とパネル固定部とを丁番を介して連結する連結部材（アーム部３）と、からなる表示パネル支持装置が開示されている。
【０００４】
連結部材は、その両端部それぞれ壁固定部材とパネル固定部とに枢支され、表示パネルを壁面に沿わせたり、連結部材を壁固定部材に対して回動させて表示パネルを壁面から任意に突出させたりすることができる。
【０００５】
また、表示パネルを壁面に固定する場合には、パネル固定部を連結部材を介さず壁面に直接あるいは壁固定部材に固定することにより行う。
【先行技術文献】
【特許文献】
【０００６】
【特許文献１】特開２００７−１３２４１号公報
【発明の概要】
【発明が解決しようとする課題】
【０００７】
ところで、上記従来例においては、表示パネルをパネル固定部に固定するにあたり、パネル固定部の前面に設けられる支持固定部に、表示パネルの背面に設けられる被支持固定部を支持させている。
【０００８】
しかしながらこの場合、表示パネルが異なると、表示パネルの背面に設けられる被支持固定部の位置も異なる場合が多く、表示パネル毎に支持固定部が被支持固定部に対応する位置に設けられたパネル固定部を用意する必要があり、パネル固定部の種類が増大してしまう、という問題があった。
【０００９】
本発明は上記従来の問題点に鑑みて発明したものであって、その目的とするところは、表示パネルによってその背面に設けられる被支持固定部の位置が異なっても、表示パネル毎に支持固定部が被支持固定部に対応する位置に設けられたパネル固定部を用意する必要のない表示パネル支持装置を提供することを課題とするものである。
【課題を解決するための手段】
【００１０】
上記課題を解決するために、本発明は、以下のような構成とする。
【００１１】
請求項１に係る表示パネル支持装置は、背面側が壁面Ｗ又は壁面Ｗに固定される部材に連結されると共に、前面側に表示パネルＰが固定されるパネル固定部２で主体が構成され、パネル固定部２の前面に支持固定部が設けられ、表示パネルの背面の少なくとも左右方向の２箇所に設けられる被支持固定部に支持固定部が係合する表示パネル支持装置である。パネル固定部２の左右方向の任意の位置に支持固定部が移動可能に取り付けられることに特徴がある。
【００１２】
また請求項２に係る発明は、請求項１に係る発明において、支持部材７に対して、被支持固定部を有する上下動部材８が任意の高さに固定可能であることに特徴がある。
【発明の効果】
【００１３】
請求項１に係る発明にあっては、パネル固定部の前面に設けられる支持固定部の左右の位置を変更することができて、表示パネル毎に支持固定部の位置の異なる多種のパネル固定部を用意する必要がなく、一つのパネル固定部で異なる表示パネルに対応することができる。
【００１４】
請求項２に係る発明にあっては、パネル固定部の前面に設けられる支持固定部の左右の位置のみならず上下の位置も変更することができて、より一層、様々な仕様の表示パネルに対応することができる。
【図面の簡単な説明】
【００１５】
【図１】本発明の一実施形態におけるパネル固定部と支持部材の後斜め上方より見た分解斜視図である。
【図２】同上の全体図であり、表示パネルを壁面に対して傾けた状態を前斜め上方より見た斜視図である。
【図３】同上の後斜め上方より見た斜視図である。
【図４】同上の前斜め上方より見た分解斜視図である。
【図５】同上の後斜め上方より見た分解斜視図である。
【図６】表示パネルを壁面に沿わせた状態を示し、（ａ）は前斜め上方より見た斜視図であり、（ｂ）は平面図である。
【図７】（ａ）は表示パネルを壁面と平行に壁面より突出させた状態の平面図であり、（ｂ）は表示パネルを壁面に対して傾けた状態の平面図である。
【図８】表示パネルを壁面に対して図７の場合と逆に傾けた状態を示し、（ａ）は前斜め上方より見た斜視図であり、（ｂ）は平面図である。
【図９】他の実施形態におけるパネル固定部と支持部材の後斜め上方より見た分解斜視図である。
【図１０】同上のパネル固定部と支持部材の前斜め上方より見た斜視図である。
【図１１】（ａ）（ｂ）は支持部材を異なる位置に設けたパネル固定部の前斜め下方より見た斜視図である。
【図１２】上下動部材を設けた支持部材であり、（ａ）は要部を拡大した前斜め下方より見た斜視図であり、（ｂ）は（ａ）の全体斜視図であり、（ｃ）は（ａ）（ｂ）と異なる位置に上下動部材を設けた支持部材全体を前斜め下方より見た斜視図である。
【発明を実施するための形態】
【００１６】
以下、本発明の一実施形態について添付図面に基づいて説明する。
【００１７】
表示パネル支持装置は、図１に示すように、前面側に表示パネルＰが固定されるパネル固定部２で主体が構成されるものである。パネル固定部２は、背面側が壁面Ｗに固定されるか、あるいは壁面Ｗに固定される部材に連結されるもので、本実施形態では図２乃至図５に示すように、壁面Ｗに固定される壁固定部材１に連結部材３を介して連結される。
【００１８】
壁固定部材１は、部屋の壁面Ｗに固定されると共に、連結部材３の横方向の一方の側端部が枢支されるもので、本実施形態では、部屋の壁面Ｗに固定されるベースプレート１１と、ベースプレート１１に固定されるメインプレート１２及びサブプレート１３で構成される。
【００１９】
ベースプレート１１は、正面視略矩形状をしたＳＵＳ等の金属からなる板で、一方の面が部屋の壁面Ｗに沿うように該壁面Ｗに固定される。ここでベースプレート１１は、部屋の壁面Ｗの方を向く前記一方の面を背面とすると共に、部屋内を向く他方の面を前面とし、メインプレート１２及びサブプレート１３についても同様とする。また図２に示すように、部屋内の方（矢印Ｆ）を前方とすると共に壁面Ｗの方（矢印Ｂ）を後方とし、後方を向いた時に壁面Ｗに沿う横方向を左右方向（矢印Ｌが左、矢印Ｒが右）とする。
【００２０】
ベースプレート１１の壁面Ｗへの固定は、ベースプレート１１に穿設された固着具挿通孔１１ａを介してビス等の固着具（図示せず）を壁面Ｗに螺着させることで行う。固着具挿通孔１１ａは、本実施形態では図４、図５に示すように、左右方向に長い多数の長孔として形成され、これにより、壁面Ｗの所望の位置に固定する際に固定し易くなる。ベースプレート１１には、メインプレート１２及びサブプレート１３が固定される。
【００２１】
メインプレート１２及びサブプレート１３は、正面視略矩形状をしたＳＵＳ等の金属からなる板で、その背面がベースプレート１１の前面に沿うように該ベースプレート１１に固定される。メインプレート１２及びサブプレート１３には、ベースプレート１１への固定部として、上部と下部にそれぞれ上固定部１５と下固定部１６とが設けてある。
【００２２】
上固定部１５は、図５に示すように、メインプレート１２及びサブプレート１３の上端縁から後方に向けて設けられる、横片１５ａ及び該横片１５ａの後端より下方に連設される縦片１５ｂからなる略逆Ｌ字状をしたもので、縦片１５ｂとメインプレート１２又はサブプレート１３の背面との間に、下方及び側方に開口する係止溝１５ｃが形成される。
【００２３】
下固定部１６は、メインプレート１２及びサブプレート１３の背面の下端部近傍に設けられるもので、固定孔が穿設された下固定片１６ａと、下固定片１６ａと背面とを連結する連結片１６ｂとで構成される。連結片１６ｂは、背面に固定される中央片とその左右両端から後方に連設される連設片とからなる略コ字状をしており、連設片の先端から左右両側に下固定片１６ａが連設され、連結片１６ｂ及び下固定片１６ａでハット型となっている。
【００２４】
メインプレート１２及びサブプレート１３は、上固定部１５の係止溝１５ｃにベースプレート１１の上端縁を挿入させて係止させる。ベースプレート１１には、図５に示すように、メインプレート１２及びサブプレート１３の下固定部１６の固定孔に対応する位置に固着具挿通孔１１ｂが穿設してあり、上記のように係止溝１５ｃにベースプレート１１の上端縁が係止した状態で、ビス等の固着具（図示せず）を固着具挿通孔１１ｂを介して下固定部１６の固定孔に螺着することでメインプレート１２及びサブプレート１３が固定される。
【００２５】
メインプレート１２とサブプレート１３とは、ベースプレート１１に横方向に間隔をあけて又は隙間なく並べて固定されるが、その固定位置は任意に設定可能であり、またいずれを左又は右に位置させるかも任意に設定可能である。本実施形態では、図２に示すように、メインプレート１２が左側、サブプレート１３が右側に位置するように固定される。
【００２６】
メインプレート１２及びサブプレート１３の前面には、連結部材３の一方の側端部が枢支される枢支部５（５１、５２）が設けられる。連結部材３は、第１の連結部材と第２の連結部材の二つの部材からなるもので、以下、第１の連結部材をメインアーム３１、第２の連結部材をサブアーム３２として説明する。
【００２７】
メインアーム３１及びサブアーム３２は、横方向に所定の長さを有するもので、本実施形態では四辺が上下左右を向く略矩形枠状に形成してある。本実施形態では第１の連結部材及び第２の連結部材をメインアーム３１及びサブアーム３２としているが、連結部材３は板状や棒状等、形状は特に限定されないものであり、また第１の連結部材と第２の連結部材とで前記所定の長さや形状が異なっていてもよい。メインアーム３１及びサブアーム３２の左右両方の側端部には、上下方向を中心軸としてメインアーム３１及びサブアーム３２を回動させる被枢支部４が設けられるもので、本実施形態では被枢支部４として、メインアーム３１及びサブアーム３２の両方の側端部の上下端部に枢支軸４１がそれぞれ上下に向けて突設してある。
【００２８】
メインアーム３１及びサブアーム３２の一方の側端部の枢支軸４１ａは、それぞれ上記メインプレート１２及びサブプレート１３の枢支部５（５１、５２）に枢支されるもので、本実施形態では枢支部５側が軸受となっているが、枢支部５側が枢支軸であり且つ被枢支部４側が軸受であってもよい。
【００２９】
メインプレート１２の枢支部５１は、軸受ブラケット５１ａの内部に形成される軸受であり、メインアーム３１の上下長さと略同じかそれより若干長い間隔をあけて、上下に二つの軸受ブラケット５１ａがメインプレート１２の前面に固定される。上側の軸受ブラケット５１ａの軸受にメインアーム３１の一方の側端部の上側の枢支軸４１ａが下方より挿入され、下側の軸受ブラケット５１ａの軸受にメインアーム３１の一方の側端部の下側の枢支軸４１ａが上方より挿入され、前記枢支軸４１ａを中心としてメインアーム３１が回動自在に枢支される。
【００３０】
サブプレート１３の枢支部５２は、ローラ６１の内部に形成される軸受であり、ローラ６１はガイドレール６２内を移動自在となっている。ガイドレール６２は、上方又は下方に開口するガイド溝６３を有する断面略コ字状をしたもので、ローラ６１はその円周側面が側方を向くようにガイド溝６３に収容される。ガイド溝６３の長手方向すなわちローラ６１の移動方向となる左右方向の両端部には、ローラ６１の移動を規制するストッパー（図示せず）が設けてある。サブプレート１３の前面に、二つのガイドレール６２がその開口が互いに対向するように、サブアーム３２の上下長さと略同じかそれより若干長い間隔をあけて固定される。そして、上側のガイドレール６２内に、サブアーム３２の一方の側端部の上側の枢支軸４１ａが挿入されたローラ６１が移動自在に挿入され、下側のガイドレール６２内に、サブアーム３２の一方の側端部の下側の枢支軸４１ａが挿入されたローラ６１が移動自在に挿入され、前記枢支軸４１ａを中心としてサブアーム３２が回動自在に枢支されると共に、枢支軸４１ａとともにローラ６１がガイドレール６２に沿って移動する。すなわち、ローラ６１とガイドレール６２とで、壁固定部材１に沿って枢支部５を横方向に移動させる枢支部移動手段６が構成される。
【００３１】
メインアーム３１及びサブアーム３２の他方の側端部の枢支軸４１ｂは、パネル固定部２側の枢支部５３に枢支される。この枢支部５３は、軸受ブラケット５３ａの内部に形成される軸受からなり、軸受ブラケット５３ａは上下に二つ設けられるのであるが、各軸受ブラケット５３ａはそれぞれ軸受を二つ有していて、一方がメインアーム３１の他方の側端部の上下の枢支軸４１ｂが挿入される軸受となり、他方がサブアーム３２の他方の側端部の上下の枢支軸４１ｂが挿入される軸受となる。
【００３２】
パネル固定部２は、液晶テレビやプラズマテレビ等の平面状の表示パネルＰに固定される表示パネルＰとは別体の部材である。なお表示パネルＰとしては、前述した液晶テレビ、プラズマテレビや、コンピュータの出力画面等のディスプレイであって、いわゆる薄型のものが好適に挙げられるが、これらに限定されず、絵画や発光しないパネル等、様々なものが挙げられる。
【００３３】
パネル固定部２は、前面が表示パネルＰの背面に固定されると共に、背面に上記枢支部５３が固定される部材で、本実施形態では、左右方向を長手方向とする上枠２１及び下枠２２で主体が構成され、上枠２１と下枠２２との間に上下方向を長手方向とする支持部材７が二つ架設される。
【００３４】
支持部材７は、平面断面が後方に開口する略コ字状となっていて、上端縁から後方に向けて設けて横片７１ａ及び該横片７１ａの後端より下方に連設される縦片７１ｂからなる略逆Ｌ字状をした上固定部７１が設けてある。また下端縁には、後方に延びる平板状の下固定部７２が設けてある。そして、上固定部７１の縦片７１ｂに固着孔７１ｃが形成してある。
【００３５】
また、パネル固定部２の上枠２１には、左右方向に複数の固着孔２１ａが形成してあり、所望の固着孔２１ａに前記支持部材７の上固定部７１の固着孔７１ａを連通させて固着具（図示せず）を固着することで、支持部材７を上枠２１の左右方向の任意の所望の位置に固定することができる。
【００３６】
また、支持部材７の下固定部７２に固着孔７２ａが形成してあると共に、パネル固定部２の下枠２２に、左右方向に複数の固着孔（図示せず）が形成してあり、下枠２２の所望の固着孔に前記支持部材７の下固定部７２の固着孔７２ａを連通させて固着具（図示せず）を固着することで、支持部材７を下枠２１の左右方向の任意の所望の位置に固定することができる。
【００３７】
支持部材７の前面には、表示パネルＰを支持固定するための支持固定部が設けられると共に、表示パネルＰの背面には、前記支持固定部に支持固定される被支持固定部が設けられる。被支持固定部は、表示パネルＰにより被支持固定部の相対的な位置が異なる場合があり、本実施形態の表示パネルＰにおいては、左右方向の２箇所に上下に２箇所ずつ計４個の被支持固定部が設けられ、上下の被支持固定部の間隔は表示パネルＰによらず一定とし、左右の被支持固定部の間隔が表示パネルＰにより異なるものとする。被支持固定部として、突出基部の径が前記下穴より小さく、突出先端部の径が上穴より小さく下穴より大きい突出部２６が形成してある。
【００３８】
また支持固定部としては、図５に示すように、パネル固定部２の支持部材７の上下２箇所に、大径の上穴と小径の下穴とが連通してなる所謂だるま穴２５が形成してあり、表示パネルＰをパネル固定部２に支持固定させるには、表示パネルＰの突出部２６の突出先端部をそれぞれ前方よりパネル固定部２のだるま穴２５の上穴に挿通させ、上穴を挿通している突出基部を下穴に移動させて係合させることで、突出基部が下穴の下端縁上に載置されて支持されると共に、下穴の径よりも大きい突出先端部により抜け止めがなされて固定される。
【００３９】
このようにして、パネル固定部２の前面に設けられる支持固定部の左右の位置を変更することができて、表示パネルＰ毎に支持固定部の位置の異なる多種のパネル固定部２を用意する必要がなく、一つのパネル固定部２で異なる表示パネルＰに対応することができる。
【００４０】
なお詳細に説明しないが、図中の符号ＫＰは化粧パネルであり、符号Ｒはラックであり、符号Ｌは枢支部５における被枢支部４の回動を規制するためのレバーである。
【００４１】
上述した表示パネル支持装置の動作について説明する。
【００４２】
図６に示すように、表示パネルＰを壁面Ｗに沿わせた収納状態とするには、表示パネルＰの左右の両側端ともに壁面Ｗに近接させていくことで、メインアーム３１が壁面Ｗに対して寝かされていくと共に（すなわち壁面Ｗとメインアーム３１の横方向とのなす角が小さくなり）、表示パネルＰも壁面Ｗと平行になっていき、この時メインアーム３１の一方の側端部の被枢支部４はメインプレート１２の枢支部５１を中心に、他方の側端部の被枢支部４はパネル固定部２の枢支部５３を中心に回動する。そしてサブアーム３２も壁面Ｗに対して寝かされていき、この時サブアーム３２は他方の側端部の被枢支部４がパネル固定部２の枢支部５３を中心に回動し、一方の側端部の被枢支部４は、ローラ６１の枢支部５２を中心に回動すると共にローラ６１と一緒にガイドレール６２を移動していく。最終的にはメインアーム３１及びサブアーム３２が壁面Ｗと平行になると共に表示パネルＰも壁面Ｗと平行になり、表示パネルＰがメインアーム３１及びサブアーム３２を介して壁面Ｗに沿う収納状態となる。なお、収納状態でも表示パネルＰを使用してもよい（例えば表示パネルＰがテレビである場合にテレビを見る）のは勿論である。
【００４３】
次に、図７（ａ）に示すように、表示パネルＰを壁面Ｗと平行に該壁面Ｗより突出させた状態とするには、表示パネルＰの左右の両側端を壁面Ｗから等距離となるように位置させればよい。この時の表示パネルＰの左右方向の位置は、メインアーム３１により決まる。これは、メインアーム３１の両方の側端部の被枢支部４は、壁面Ｗ側に固定された枢支部５１と表示パネルＰ側に固定された枢支部５３とにそれぞれ枢支されており、表示パネルＰ（ここでは枢支部５３）の壁面Ｗからの距離に応じて、メインアーム３１が壁面Ｗ側の枢支部５１に枢支された被枢支部４を中心に回動して壁面Ｗとなす角が決まり、表示パネルＰ側の枢支部５３を中心に表示パネルＰが回動して壁面Ｗと平行になるように位置が決まるものである。またこの時サブアーム３２も、表示パネルＰの壁面Ｗに対する位置が決まると、表示パネルＰ側の枢支部５３に枢支された被枢支部４の位置が決まり、これに伴って、壁面Ｗ側の枢支部５２がローラ６１とともにガイドレール６２内を移動して位置が決まる。このためサブアーム３２の壁面Ｗ側の被枢支部４を枢支する枢支部５２の位置は、表示パネルＰの壁面Ｗからの距離に応じて左右方向に異なる。図７（ａ）では、表示パネルＰが壁面Ｗから離れる程、ローラ６１が左側に位置すると共に表示パネルＰが左側に位置する。ガイドレール６２内のストロークの左側の側端部にローラ６１が位置している状態が、表示パネルＰが壁面Ｗから最も離れた状態となる。
【００４４】
次に、表示パネルＰを壁面Ｗに対して傾けるには、例えば図７（ｂ）に示すように、表示パネルＰの右側の側端部を左側の側端部よりも前方に位置させて、表示パネルＰが壁面Ｗに対して３０°をなすように傾けたり、図８に示すように、表示パネルＰの左側の側端部を右側の側端部よりも前方に位置させて、表示パネルＰが壁面Ｗに対して３０°をなすように傾けたりすることができる。いずれの場合も、表示パネルＰ側の枢支部５３は収納状態よりも前方に位置している。またこの状態から、枢支部５３の壁面Ｗからの距離を変えずに表示パネルＰの傾きを変えたり、表示パネルＰを傾けたまま枢支部５３の壁面Ｗからの距離を変えることができ、表示パネルＰの壁面Ｗからの距離と壁面Ｗに対する傾きとを独立して設定することができる。この場合も図７（ａ）の説明で述べたように、枢支部５３の壁面Ｗからの距離が長くなる程、表示パネルＰが左側に位置することとなる。
【００４５】
このように本実施形態の表示パネル支持装置にあっては、連結部材３がメインアーム３１（第１の連結部材）とサブアーム３２（第２の連結部材）の二つの部材からなるため、連結部材３が一つの部材からなる従来例のように、表示パネルＰの回動動作が不安定にならないものである。また、連結部材３が二つの部材からなるため、一つの部材にかかる負荷が従来例と比べて半減するため破損する惧れが極めて低い。また、万一いずれか一方の連結部材３が破損しても、他方の連結部材３で表示パネルＰを支持することができて、表示パネルＰが落下する危険性がなく、見た目の安心感も向上する。
【００４６】
次に、支持部材７の他の実施形態について図９乃至図１２に基づいて説明する。本実施形態においても、大部分は上実施形態と同じであるため同じ部分については説明を省略し、主に異なる部分について説明する。
【００４７】
パネル固定部２は、上実施形態のように上枠２１と下枠２２ではなく、ベースプレート２０で主体が構成される。
【００４８】
支持部材７は、図９、図１０に示すように平面断面が前方に開口する略コ字状となっていて、上端縁から後方に向けて設けて横片７１ａ及び該横片７１ａの後端より下方に連設される縦片７１ｂからなる略逆Ｌ字状をした上固定部７１が設けてあり、下端部には固着孔７２ａが形成してある。
【００４９】
支持部材７は、ベースプレート２０の前方より縦片７１ｂをペースプレート２０の上端縁の任意の左右位置に引っ掛けて係止することができる。
【００５０】
またベースプレート２０には、下端部の左右方向に複数の固着孔２２ａが形成してあり、所望の固着孔２２ａに前記支持部材７の固着孔７２ａを連通させて固着具（図示せず）を固着することで、図１１（ａ）（ｂ）に示すように、支持部材７をベースプレート２０の左右方向の任意の所望の位置に固定することができる。
【００５１】
支持部材７には、図１２に示すように、前方に上下動部材８が任意の位置に固定される。上下動部材８は、後方に開口する略箱状をしたもので、支持部材７の両側片間に挿入可能となっていて、前面にだるま穴２５が形成してある。そして、左右両側に途中で下方に曲折する略Ｌ字状をした係止片８１が突出している。支持部材７には、側片の前端に上下方向に複数の切欠７３が形成してある。
【００５２】
上下動部材８は、その係止片８１を、支持部材７の所望の任意の切欠７３に挿入して係止させることで、支持部材７の所望の任意の高さに設置することができる。
【００５３】
このようにして、ベースプレート２０の前面に設けられる支持固定部の左右の位置のみならず上下の位置も変更することができて、より一層、様々な仕様の表示パネルに対応することができる。
【符号の説明】
【００５４】
１    壁固定部材
１１  ベースプレート
１２  メインプレート
１３  サブプレート
２    パネル固定部
３    連結部材
３１  メインアーム（第１の連結部材）
３２  サブアーム（第２の連結部材）
４    被枢支部
５    枢支部
６    枢支部移動手段
６１  ローラ
６２  ガイドレール
７    支持部材
７１  上固定部
７２  下固定部
７３  切欠
８    上下動部材
８１  係止片
Ｐ    表示パネル
Ｗ    壁面
ＫＰ  化粧パネル
Ｒ    ラック
Ｌ    レバー
【図１】
2010166181.tif 000003
【図２】
2010166181.tif 000004
【図３】
2010166181.tif 000005
【図４】
2010166181.tif 000006
【図５】
2010166181.tif 000007
【図６】
2010166181.tif 000008
【図７】
2010166181.tif 000009
【図８】
2010166181.tif 000010
【図９】
2010166181.tif 000011
【図１０】
2010166181.tif 000012
【図１１】
2010166181.tif 000013
【図１２】
2010166181.tif 000014